(57)【要約】  【課題】  製造コストが安価で、しかも、従来例と同様の接合機能を備えた、木造建物の軸組材のパイプ状接合金具を提供する。  【解決手段】  上端を一方の軸組材５０に、下端を他方の軸組材６０に挿入して軸組材５０，６０に設けた貫通孔５０ｂ，６０ｂを通じて挿通孔１０，１２にドリフトピン等の止着杆７０，８０を嵌挿して前記一対の軸組材５０，６０を接合する。  パイプ状に屈曲変形する縦長方形状の金属板Ａａの横幅方向の中央に設けた透孔１０´，１２´と前記金属板の縦方向に沿う両端にそれぞれ設けた半円状切欠４Ｂ，４´Ｂ、７Ｂ，７´Ｂが互いに一致して形成される透孔とを径方向に一致させて前記挿通孔１０，１２を形成する。そして、挿通孔１０，１２の上下両側には方形状突部片５Ａ，８Ａ，３Ａ，６Ａと他端に設けた方形切欠５Ｂ，８Ｂ，３Ｂ，６Ｂを互いに係合して形成した金属板Ａａの前記両端の接目部分を設ける。【選択図】    図２
2010065493.tif 000002
【特許請求の範囲】
【請求項１】
軸線方向の上端を一方の軸組材に、下端を他方の軸組材に挿入して軸組材に設けた貫通孔を通じて挿通孔にドリフトピン等の止着杆を嵌挿して前記一対の軸組材を接合する木造建物の軸組材のパイプ接合金具において、パイプ状に屈曲変形する縦長方形状の金属板の横幅方向の中央に設けた透孔と前記金属板の縦方向に沿う両端にそれぞれ設けた半円状切欠が互いに一致して形成される透孔とを径方向に一致させて前記挿通孔を形成し、該挿通孔の上下両側には、前記縦方向に沿う一端に設けた方形状突部片と、該一端と一致する他端に設けた方形切欠を互いに係合して形成した、金属板の前記両端の接目部分を設けた、木造建物の軸組材のパイプ状接合金具。
【発明の詳細な説明】
【技術分野】
【０００１】
本発明は、軸線方向の上端を一方の軸組材に、下端を他方の軸組材に挿入して軸組材に設けた貫通孔を通じて挿通孔にドリフトピン等の止着杆を嵌挿して前記一対の軸組材を接合するようにした、木造建物の軸組材のパイプ状接合金具に関するものである。
【背景技術】
【０００２】
木造建物の軸組材である柱と土台又は横架材を接合するために、従来からパイプ状接合金具が用いられているが、該金具は、常法によって得た鋼製パイプを二次加工して特定の長さに切断したものに、柱と土台又は横架材に嵌挿する止着杆（通常は、ボルト杆やドリフトピン）用の挿通孔を形成するようにしているが、一次成形するパイプそのものが汎用性に欠けることと二次加工の煩雑さにより製造コストが嵩むという欠点がある。
【０００３】
この欠点を回避するために、プレス成形により一対の構成部材を形成し、該一対の構成部材を長手（縦）方向に沿って互いに組合わせ、長手方向に沿う両端に設けた突部片と係合溝を互いに係合するようにして構成したものが提案されている（例えば、特許文献１）。
【０００４】
【特許文献１】特開平１１−３５０５９７号公報
【発明の開示】
【発明が解決しようとする課題】
【０００５】
前記従来構造のものは、一対の構成部材を相対向させるようにして突部片と係合溝を係合させるようにしたものであるため容易に分離し易く、そのため、互いに係合する突部片と係合溝の配置関係に一工夫を要し（そのため、前記公報記載の従来例は構成部材の長手方向に沿う両側端である接触端をねじり形状にしてある）、その分構成部材同士の組付け作業が煩雑となり、予期するような製造コストの低減を期待できない。
【０００６】
本発明は、製造コストが安価で、しかも、従来例と同様の接合機能を備えた木造建物の軸組材のパイプ状接合金具を提供することを目的として創案したものである。
【課題を解決するための手段】
【０００７】
軸線方向の上端を一方の軸組材に、下端を他方の軸組材に挿入して軸組材に設けた貫通孔を通じて挿通孔にドリフトピン等の止着杆を嵌挿して前記一対の軸組材を接合する木造建物の軸組材のパイプ接合金具において、パイプ状に屈曲変形する縦長方形状の金属板の横幅方向の中央に設けた透孔と前記金属板の縦方向に沿う両端にそれぞれ設けた半円状切欠が互いに一致して形成される透孔とを径方向に一致させて前記挿通孔を形成し、該挿通孔の上下両側には、前記縦方向に沿う一端に設けた方形状突部片と、該一端と一致する他端に設けた方形切欠を互いに係合して形成した、金属板の前記両端の接目部分を設けた構成としたものである。
【発明の効果】
【０００８】
本発明によれば、プレス成形によって一定形状にした金属板をその塑性変形を利用して折り曲げて得られるものであるから、製造コストが安価で、従来例と同様の機能を備えた建築用柱接合パイプ金具を提供できる。
【０００９】
また、本発明は、金属板の縦方向に沿う両端位置すなわち両端の接目部分に挿通孔を備えたものであるにかかわらず、その上下の、方形状突部片と方形切欠が係合し合う接目部分の存在によって、挿通孔に嵌挿した止着杆からの外力の負荷に充分耐え得るパイプ金具を提供できる。
【実施例】
【００１０】
図面は本発明に係る木造建物の軸組材のパイプ状接合金具の一実施例を示し、図１は正面図、図２は展開図、図３は使用状態を示す断面図、図４は第二実施例の正面図、図５は第二実施例の展開図である。
【００１１】
図中、Ａ，Ａ´は本発明に係るパイプ状接合金具で、パイプ状接合金具Ａ，Ａ´は、金属板Ａａ又はＡｂをパイプ状に屈曲して形成し、上部側には順次互いに直交方向に位置をずらせた第一、第二および第三の挿通孔９，１０，１１を下部には互いに直行させて配した第四及び第五の挿通孔１２，１３をそれぞれ設けたもので、互いに接合する上軸組材５０の下面に設けた係合穴５０ａに上側の一半を、下軸組材６０の上面に設けた係合穴６０ａに下側の他半をそれぞれ係合して上、下の軸組材５０，６０と組合わせ、上下両側に設けた挿通孔９，１０，１１，１２を前記軸組材５０，６０に形成した貫通孔５０ｂ，６０ｂと一致させ、互いに一致する挿通孔９，１０，１１，１２と貫通孔５０ｂ，６０ｂに前記軸組材５０，６０の一側から止着杆であるボルト７０，８０を挿通させ、軸組材５０，６０より突出するボルト７０，８０の先端にナット３０，４０を螺合、締付けて上下の軸組材５０，６０を接合したものである。
【００１２】
上下の軸組材５０，６０は、図示のものは柱として適用してあるが、上側軸組材５０を柱、下側軸組材６０を土台や梁などの横架材として適用しても都合はなく、ボルト７０，８０に代えてドリフトピンなどを用いても不都合はない。
【００１３】
そして、実施例の木造建物の軸組材のパイプ状接合金具Ａ，Ａ´は、縦長方形状の金属板（実施例は鋼板）Ａａ，Ａｂをパイプ状の屈曲させて構成したもので、第一実施例の金属板Ａａは、縦方向に沿う一端縁Ａａ´に第一方形切欠３Ｂ、第一半円状切欠４Ｂ、前記第一方形切欠３Ａと同大同形の第一方形状突部片５Ａ、前記第一方形切欠３Ｂと同大同形の第二方形切欠６Ｂ、前記第一半円状切欠４Ｂより径の小さい第二半円状切欠７Ｂおよび前記第一方形状突部片５Ａより径の小さい第二方形状突部片８Ａを順次上側から並設し、他端縁Ａａ´´にこれら第一方形切欠３Ｂ等と対応するようにして（例えば、第一方形切欠３Ｂに対して第三方形状突部片３Ａというように）、第三方形状突部片３Ａ、第三半円状切欠４´Ｂ、第三方形切欠５Ｂ、第四方形状突部片６Ａ、第四半円状切欠７´Ｂおよび第二方形状突部片８Ａと同形同大の第四方形切欠８Ｂを順次上側から並設すると共に、板面Ａ´ａの前記第一、第三半円状切欠４Ｂ，４´Ｂ間の中央にはやや横長状の第二円形透孔１０´を設け、この第二円形透孔１０´より上方には該第一円形透孔１０´と同形同大の一対の円形透孔９´，９´を、下方には同様にして一対の第三円形透孔１１´，１１´を設け、同一高さ位置にある各一対の円形透孔９´，９´、１１´，１１´同士は、金属板Ａａをパイプ（円筒）状に屈曲したとしたとき、該パイプすなわち接合金具Ａの径方向に一致して前記第一、第三挿通孔９，１１を構成する離開幅を存して板面Ａ´ａにそれぞれ並設してあり、前記第一、第三の半円状切欠４Ｂ，４´Ｂは、同様に金属板Ａ´ａを屈曲したとき、互いに一致して前記第二挿通孔１０の一方の開口縁を構成すると共に、該半円状切欠４Ｂ，４´Ｂ間に介在する前記第二円形透孔１０´と接合金具Ａの径方向に一致して前記第二挿通孔１０を構成するように、第二円形透孔１０´と適宜の離開幅を存して板面Ａ´ａに並設したものである。
【００１４】
また、板面Ａ´ａの下方には、前記第二半円状切欠７Ｂと前記第四半円状切欠７´Ｂと同じ高さ位置に、しかも、互いに等間隔を存して各半円状切欠７Ｂ，７´Ｂと同径の、やや横長状の第四円形透孔１２´´，１２´，１２´´を並設し、金属板を屈曲したとき、中央の円形透孔１２´と前記第二、第四の半円状切欠７Ｂ，７´Ｂが互いに一致して形成される孔とが互いに一致して第四挿通孔１２を、また、左右の円形透孔１４ａ´，１４ａ´が互いに一致して第五挿通孔１３を構成するようにしてある。
【００１５】
そして、第一方形切欠３Ｂ等をプレス成形した金属板Ａａを屈曲変形して第一方形切欠３Ｂと第三方形状突部片３Ａを、第一方形状突部片５Ａと第三方形切欠５Ｂを、第二方形切欠６Ｂと第四方形突部片６Ａを、また、第二方形状突部片８Ａと第四方形切欠８Ｂをそれぞれ互いに係合させる一方、第一半円状切欠４Ｂと第三半円状切欠４´Ｂを、第二半円状切欠７Ｂと第四半円状切欠７´Ｂをそれぞれ互いに一致させ、かつ、該一致させた一方の円形透孔と第二円形透孔１０´を、他方の円形透孔と一の第四円形透孔１２´を、一対の第一円形透孔９´，９´同士を、一対の第三円形透孔１１´，１１´同士を、そして一対の他の第四円形透孔１２´´，１２´´同士をそれぞれ互いに一致させて第一実施例のパイプ状接合金具Ａを得るのである。
【００１６】
第二実施例のパイプ状接合金具Ａ´を得る金属板Ａｂは、第一実施例の金属板Ａａを備えた第二方形状突部片８Ａと該突部片８Ａと係合する第四方形切欠８Ｂに代えて、金属板Ａｂの縦方向に沿う一端縁Ａｂ´側の第二半円状切欠７Ｂの縁部から延び、上縁１８Ａ´が第四円形透孔１２´，１２´´の孔縁の一部と同形にして下縁１８Ａ´´が直縁上の突部片１８Ａを設け、他端縁Ａｂ´´側には、第四半円状切欠７´Ｂの下端縁側を切欠して該切欠部１８Ｂに、金属板Ａｂを屈曲して接合金具Ａとする際に、前記突部片１８Ａを係合させ、第二半円状切欠７Ｂと第四半円状切欠７´Ｂとが一致して形成される第四挿通孔１２の下方に位置する接目部分としたもので、残余の点は、同一符号で示す通り第一実施例の金属板Ａａと同様で、かつ、同様に屈曲変形して木造建物の軸組材パイプ状接合金具Ａを構成する。
【００１７】
各実施例の金属板Ａａ，Ａｂは、縦方向に沿う両端に方形状突部片３Ａ，５Ａ，６Ａ，８Ａ，１８Ａと方形切欠３Ｂ，５Ｂ，６Ｂ，８Ｂ，１８Ｂを設け、これらが互いに係合し、該係合部分（接目部分）の間に半円状切欠４Ｂ，４´Ｂ，７Ｂ，７´Ｂで構成する挿通孔１０，１２を介在させ、挿通孔１０，１２に挿通した止着杆から伝達される外力に耐え得るようにしたもので、斯様な組合わせ関係であれば実施例の形状に限定する必要はない。
【００１８】
なお、端縁Ａａ´，Ａａ´´、Ａｂ´，Ａｂ´´に形成した半円状切欠７Ｂ，７´Ｂを利用して挿通孔１２の一方の開口端を構成するようにすれば、実施例の様に、該挿通孔１２と直交する挿通孔１３を簡単に形成することができる。すなわち、端縁Ａａ´，Ａａ´´、Ａｂ´，Ａｂ´´を基準にできるから半円状切欠７Ｂ，７Ｂ´等のプレス加工や屈曲変形を簡単に行うことができる。
【図面の簡単な説明】
【００１９】
【図１】正面図。
【図２】展開図。
【図３】使用状態を示す断面図。
【図４】第二実施例の正面図。
【図５】第二実施例の展開図。
【符号の説明】
【００２０】
４Ｂ      第一半円状切欠
４´Ｂ    第三半円状切欠
５Ａ      第一方形状突部片
５Ｂ      第三方形切欠
６Ａ      第四方形状突部片
６Ｂ      第二方形切欠
７Ｂ      第二半円状切欠
７´Ｂ    第四半円状切欠
８Ａ      第二方形状突部片
８Ｂ      第四方形切欠
１０      挿通孔
１２      挿通孔
Ａａ      金属板
【図１】
2010065493.tif 000003
【図２】
2010065493.tif 000004
【図３】
2010065493.tif 000005
【図４】
2010065493.tif 000006
【図５】
2010065493.tif 000007